(57)【要約】【課題】  成形の際に簡単に金型から抜けるとともに、開口の際に、指掛け部に確実に指先が引掛かり、引張り易いようにした指掛けリングを提供する。【解決手段】  閉蓋具に注出口を開口するため、注出筒の隔壁除去部に連結片を介して連設された指掛けリングであって、連結片の対向側を指掛け部とし、指掛け部の上端部内周に、薄肉変形部が突設されていることを特徴とし、薄肉変形部が、指掛け部の上端部内周から延びる半円形の板部で形成されていること、また、板部の直線部から、内方に向かって櫛歯部が複数配設されていることを特徴とする。【選択図】  図１
2011031948.tif 000002
【特許請求の範囲】
【請求項１】
閉蓋具に注出口を開口するため、注出筒の隔壁除去部に連結片を介して連設された指掛けリングであって、
連結片の対向側を指掛け部とし、
指掛け部の上端部内周に、薄肉変形部が突設されていることを特徴とする指掛けリング。
【請求項２】
薄肉変形部が、指掛け部の上端部内周から延びる半円形の板部で形成されていることを特徴とする請求項１記載の指掛けリング。
【請求項３】
板部の直線部から、内方に向かって櫛歯部が複数配設されていることを特徴とする請求項２記載の指掛けリング。
【発明の詳細な説明】
【技術分野】
【０００１】
本発明は、キャップ、中栓等の容器の閉蓋具に設けられた注出筒の隔壁に、注出口を開口するための指掛けリングに関するものである。
【背景技術】
【０００２】
閉蓋具に注出口を開口するため注出筒の隔壁除去部に連結片を介して連設された指掛けリングであって、連結片との連結部の対向側に位置する指掛け部の内周に滑り止め用のリブを複数設け、指掛け部に指先を掛けた時に引掛かるようにした指掛けリングは、従来より知られている（例えば、特許文献１参照）。
【先行技術文献】
【特許文献】
【０００３】
【特許文献１】特開２００１−１８０７２９号公報
【発明の概要】
【発明が解決しようとする課題】
【０００４】
しかしながら、上記特許文献１記載の従来の指掛けリングの滑り止め用の複数のリブでは、リブの高さが低いと、指先の引掛かりが悪くなり、指掛けリングが引張りにくくなるという問題があった。
また、成形の際に金型から型抜きする関係上、リブの高さを高くすることができないものであった。
【０００５】
本発明は、上記問題を解決することを課題として、成形の際に簡単に金型から抜けるとともに、開口の際に、指掛け部に確実に指先が引掛かり、引張り易いようにした指掛けリングを提供することを目的とする。
【課題を解決するための手段】
【０００６】
本発明は、上記の問題を解決するため、指掛けリングとして、閉蓋具に注出口を開口するため、注出筒の隔壁除去部に連結片を介して連設された指掛けリングであって、連結片の対向側を指掛け部とし、指掛け部の上端部内周に、薄肉変形部が突設されていることを特徴とする構成を採用する。
【０００７】
薄肉変形部の実施例として、薄肉変形部が、指掛け部の上端部内周から延びる半円形の板部で形成されていることを特徴とする構成を採用し、さらに、板部の直線部から、内方に向かって櫛歯部が複数配設されていることを特徴とする構成を採用する。
【発明の効果】
【０００８】
指掛けリングの指掛け部の上端部内周に、薄肉変形部を突設したので、指先を引掛けた際に、薄肉変形部が変形し、薄肉変形部の先端に指が確実に引掛かり、滑ることを防止し、引張り易くなった。
また、薄肉変形部が薄肉であるとともに変形可能であるので、成形の際に簡単に金型から型抜きすることができる。
【図面の簡単な説明】
【０００９】
【図１】本発明の実施例の説明図で、（ａ）はキャップ本体の上面図、（ｂ）は開閉蓋を開いたキャップの縦断立面図である。
【図２】指掛けリングの斜視図である。
【図３】別実施例の指掛けリングの斜視図である。
【発明を実施するための最良の形態】
【００１０】
次に、本発明の指掛けリングについて、図面を参照して説明する。
図１に示すように、注出キャップは、キャップ本体Ａと、キャップ本体ＡにヒンジＣを介して開閉自在に取着された開閉蓋Ｂとからなっている。
【００１１】
キャップ本体Ａは、外筒１と上壁２、内筒３とからなる嵌着部を具えており、上壁２の上面には蓋係合部４が立設されている。
【００１２】
内筒３の下端内周には、環状の連結板５が連設され、連結板５の内周縁から上方に延びるように注出筒６が連設されており、注出筒６の内周の下方部には、隔壁７が設けられている。
【００１３】
隔壁７の下面には、注出口を開口するための切断溝８が穿設されており、その内側は除去部９となっており、除去部９の上面には、連結片１０を介して指掛けリング１１が連設されている。
【００１４】
図１、２に示すように、指掛けリング１１の連結片１０との連結部に対向する反対側部分は、指掛け部１２となっており、該指掛け部１２の上端部内周には、薄肉変形部１３が設けられている。
【００１５】
薄肉変形部１３は、指掛け部１２の内周上端部から延び、半円形に形成される板部１４と、板部１４の直線部から内方下方に向かって複数突設され、先端が鋭くなく形成される櫛歯部１５とからなっている。
【００１６】
開閉蓋Ｂは、図１に示すように、ヒンジＣを介してキャップ本体Ａに開閉自在に取着されており、頂壁１６と、側周壁１７とからなっている。
頂壁１６の中央部には、閉蓋時にキャップ本体Ａの注出筒６の上部に係合し、密封する密封リング１８が立設されており、側周壁１７の端縁内周には、閉蓋時にキャップ本体Ａの蓋係合部４と係合する係合部１９が設けられている。
【００１７】
次に、本実施例の指掛けリングの使用形態と作用効果について、説明する。
キャップ本体Ａは、内容液を充填した容器の容器口部に打栓により嵌着され、容器を密封する。
容器の使用開始にあたって、開閉蓋Ｂを開き、指掛けリング１１を上方に引張り上げ、隔壁７の除去部９を取り去り、注出口を開口する。
【００１８】
その際、切断溝８を切り裂くための引張り力が必要となり、その力は、指先により指掛け部１２を通じて働くことになる。
指掛けリング１１を引張り上げるときに、指先は、まず、薄肉変形部１３の櫛歯部１５の先端に触れるが、櫛歯部１５は、鋭くなく、また、硬くないので、指先に痛みを感じることはない。
【００１９】
そして、指先により、櫛歯部１５および板部１４は、指掛け部１２側に押されて変形するとともに、櫛歯部１５自体が指先に引掛かることにより、引張り力が指掛け部１２に掛かり易くなり、除去部９を容易に取り去ることができる。
【００２０】
本実施形態の薄肉変形部１３は、指掛けリング１１の指掛け部１２側の内周上端部に、薄肉であるとともにそれ程大きく形成されないので、キャップを成型する際の、指掛けリング１１の金型にバリ程度の隙間を形成し、型抜きすることで成型することができる。
【００２１】
上記実施形態では、薄肉変形部１３を、板部１４と、板部１４に複数突設される櫛歯部１５とで形成したが、指掛けリング１１を引張り上げるときに、指先が引掛かり、引張り力が指掛け部１２に掛かり易くなればいいので、櫛歯部１５を設けず、図３に示すように、板部１４をある程度大きく形成し、指先が引掛かるようにしてもよい。
指掛けリングの薄肉変形部の形状は、上記実施形態の形態に限定されない。
【産業上の利用可能性】
【００２２】
本発明は、指掛けリングの指掛け部の内周上端部に、薄肉変形部を設けることにより、指掛けリングの引張り上げ時に、薄肉変形部に指先が接触し、引掛かるので、指掛けリングを引張り上げ、注出口を開口する際に、指が滑ることを防止できるので、各種のキャップ、中栓、その他の閉蓋具の指掛けリングとして、広く利用できるようになった。
【符号の説明】
【００２３】
Ａ    キャップ本体
Ｂ    開閉蓋
Ｃ    ヒンジ
１    外筒
２    上壁
３    内筒
４    蓋係合部
５    連結板
６    注出筒
７    隔壁
８    切断溝
９    除去部
１０  連結片
１１  指掛けリング
１２  指掛け部
１３  薄肉変形部
１４  板部
１５  櫛歯部
１６  頂壁
１７  側周壁
１８  密封リング
１９  係合部
【図１】
2011031948.tif 000003
【図２】
2011031948.tif 000004
【図３】
2011031948.tif 000005